【事件の表示】
　特願２０１４−２２２１５７号「遊技機」拒絶査定不服審判事件〔平成２８年　５月２３日出願公開、特開２０１６−　８６９３７号、請求項の数（２）〕について、次のとおり審決する。
【結　論】
　原査定を取り消す。
　本願の発明は、特許すべきものとする。
【理　由】
第１　手続の経緯
　本願は、平成２６年１０月３１日の出願であって、平成３０年７月１３日付けで拒絶の理由が通知され、同年９月２１日に意見書及び手続補正書が提出され、同年１２月４日付けで最後の拒絶の理由が通知され、平成３１年２月８日に意見書及び手続補正書が提出されたところ、令和１年５月１０日付け（送達日：同年５月２１日）で、平成３１年２月８日付け手続補正書による補正が却下されるとともに拒絶査定（以下、「原査定」という。）がなされ、それに対して、令和１年８月２１日に拒絶査定不服審判の請求がなされると同時に手続補正書が提出されたものである。
第２　原査定の概要
　原査定（令和１年５月１０日付け拒絶査定）の概要は次のとおりである。
  
　本願請求項１及び請求項２に係る発明は、以下の引用文献１及び引用文献２に記載された発明に基いて、その発明の属する技術の分野における通常の知識を有する者（以下、「当業者」という。）が容易に発明できたものであるから、特許法第２９条第２項の規定により特許を受けることができない。
  
引用文献等一覧
１．特開２０１１−１０９５７号公報
２．特開２０１３−２５２３０４号公報
  
第３　本願発明
　本願の請求項１及び２に係る発明（以下、本願の請求項１及び２に係る発明をそれぞれ「本願発明１」及び「本願発明２」という。）は、令和１年８月２１日付け手続補正書で補正された特許請求の範囲の請求項１及び請求項２に記載された事項により特定される以下のとおりの発明である。（当審においてＡ〜Ｍに分説した。）
  
　「【請求項１】
Ａ　遊技球を発射させる発射手段と、
Ｂ　遊技盤の前面側に設けられ、前記発射手段により発射された遊技球が案内される遊技領域と、
Ｃ　前記遊技領域を移動する遊技球が入球可能な開状態と、入球不可能又は入球困難な閉状態との間で状態変化可能に構成された始動入賞手段と、
Ｄ　前記始動入賞手段へ入球した遊技球を検知する始動入賞検知手段と、
Ｅ　前記始動入賞検知手段の検知に基いて、遊技者にとって有利な特別遊技状態を発生させるか否かの当否抽選を行うとともに、当該当否抽選の結果に基いて前記特別遊技状態を発生させる主制御手段と
Ｆ　を備える遊技機であって、
Ｇ　前記遊技領域において前記始動入賞手段を含む範囲の前方を覆うようにして前記遊技盤との間に遊技球が通過可能な距離を隔てて設けられた前被覆手段を備え、
Ｈ　前記始動入賞手段は、前記遊技領域を移動する遊技球を前記遊技領域の外部に案内する入球口を備えるとともに、前記遊技領域を移動する遊技球を前記入球口に案内する開位置と、前記遊技領域を移動する遊技球の前記入球口への入球を規制する閉位置との間を変位可能な羽根部材を備える構成において、
Ｉ　前記開位置にある前記羽根部材と前後に重複する位置において、前記羽根部材が前記開位置にあるかのような視認態様となる第１状態と、前記羽根部材が前記閉位置にあるかのような視認態様となる第２状態とに状態変化可能な変化手段を備え、
Ｊ　前記羽根部材が前記閉位置にある場合には、前記変化手段が前記第１状態と前記第２状態とに状態変化可能に構成され、かつ、前記羽根部材が前記開位置にある場合には、前記変化手段が前記第１状態に維持され、
Ｋ　前記羽根部材が前記閉位置にあり、前記変化手段が前記第１状態にある場合には、前記遊技領域のうち、前記開位置にある前記羽根部材が配置される領域であって、前記第１状態にある前記変化手段により前方が覆われる領域を遊技球が移動可能に構成され、
Ｌ　前記羽根部材が前記閉位置にあり、前記変化手段が前記第１状態にある場合に前記第１状態にある前記変化手段により前方が覆われる領域を移動する遊技球に接触し、当該接触の後に当該遊技球が前記第１状態にある前記変化手段と、前記前被覆手段とにより前方が覆われる領域を移動可能とする進路変更手段が設けられている
Ｆ　ことを特徴とする遊技機。
【請求項２】
Ｍ　前記遊技機はパチンコ機であることを特徴とする請求項１に記載の遊技機。」
  
第４　引用文献、引用発明等
１　引用文献１について
　原査定の拒絶の理由に引用された上記引用文献１には、図面とともに次の事項が記載されている。（下線は当審で付した。）
（１）「【０００８】
　以下、図面を用いて、本発明の第１の実施の形態に係る遊技台としての
パチンコ機１００
（２）「【００１０】
　前面枠扉１０６は、ロック機能付きで且つ開閉自在となるようにパチンコ機１００の前面側となる本体１０４の前面に対しヒンジ部１１２を介して装着され、枠状に構成されることでその内側を開口部とした扉部材である。なお、この前面枠扉１０６には、開口部にガラス製又は樹脂製の透明板部材１１８が設けられ、前面側には、スピーカ１２０や枠ランプ１２２が取り付けられている。
前面枠扉１０６の後面と遊技盤２００の前面とで遊技領域１２４
区画形成
【００１１】
　球貯留皿付扉１０８は、パチンコ機１００の前面において本体１０４の下側に対して、ロック機能付きで且つ開閉自在となるように装着された扉部材である。球貯留皿付扉１０８は、複数の
遊技球
（３）「【００１８】
　図３は、遊技盤２００を正面から見た略示正面図である。遊技盤２００には、外レール２０２と内レール２０４とを配設し、
遊技球が転動可能な遊技領域１２４を区画形成している。
（４）「【００２６】
　第２特図始動口２３２は、電動チューリップ（電チュー）と呼ばれ、本実施例では第１特図始動口２３０の真下に１つだけ配設している。この第２特図始動口２３２は、左右に開閉自在な羽根を備え、羽根の閉鎖中は球の入球が不可能であり、普図変動遊技に当選し、普図表示装置が当り図柄を停止表示した場合に羽根が所定の時間間隔、所定の回数で開閉する。
第２特図始動口２３２への入球を
球検出センサが検出
第２特図始動口２３２に入球した球は、パチンコ機１００の裏側に誘導した後、遊技島側に排出
（５）「【００３０】
　さらに、これらの入賞口や
始動口の近傍には、
遊技釘２３８を複数個、配設
【００３１】
　このパチンコ機１００は、遊技者が上皿１２６に貯留している
球を
遊技領域１２４に打ち出す
遊技領域１２４の
球
下方に落下し、
（６）「【００３８】
　まず、パチンコ機１００の主制御部３００について説明する。  
　主制御部３００は、
主制御部３００の全体を制御する
（７）「【００４０】
　本実施の形態では、所定の抽選条件の成立（例えば、第１または
第２特図始動口
２３２に球が入賞したこと
に基いて基本回路
３０２が抽選を行い、
抽選結果
に基いて、
第２可変入賞口扉２５０を閉状態から開状態に変化させる
（８）「【００５９】
　図５（ｂ）は装飾図柄の一例を示したものである。本実施形態の装飾図柄には、「装飾１」〜「装飾１０」の１０種類がある。第１特図始動口２３０または第２特図始動口２３２に球が入賞したこと、すなわち、第１特図始動口２３０に球が入球したことを第１始動口センサが検出したこと、あるいは
第２特図始動口２３２に球が入球したことを第２始動口センサが検出したこと
（９）「【０２６８】
　次に、本発明の第３の実施の形態によるパチンコ機について図２５を用いて説明する。本実施の形態では、第２特図始動口の開閉動作の一方を含む可変態様となるように動作する所定の擬似可変部を備えた点に特徴を有している。なお、本実施の形態のパチンコ機の概略構成は、第２可変入賞口扉２５０、第２可変入賞口２５２および擬似報知手段２５４を有していない点を除いて、上記実施の形態のパチンコ機１００とほぼ同様であるため説明は省略する。
【０２６９】
　図２５は、本実施の形態のパチンコ機に備えられた第１特図始動口２３０と、第２特図始動口２３２と、
第２特図始動口２３２に備えられた第２特図始動口扉２９２
第２特図始動口扉２９２の閉状態と、擬似報知手段２９４の非動作状態
第２特図始動口扉２９２の閉状態と、擬似報知手段２９４の動作状態
第２特図始動口扉２９２の開状態と、擬似報知手段２９４の非動作状態
第２特図始動口扉２９２の開状態と、擬似報知手段２９４の動作状態
【０２７０】
　本実施の形態のパチンコ機１００は、遊技球が進入し易い開状態と遊技球が進入し難い閉状態とに変化可能な所定の可変部（本実施の形態では、第２特図始動口扉２９２）を有する所定の可変進入口（本実施の形態では、第２特図始動口２３２）と、
第２特図始動口扉２９２の可変領域２９６の一部と前方向に重なる位置
【０２７１】
　図２５（ａ）乃至図２５（ｄ）に示すように、第２特図始動口２３２の上方には、第１特図始動口２３０が所定の間隙を設け、遊技盤面（不図示）に固定されている。第１および
第２特図始動口
２３２は上面側が開口した器形状に
形成され
遊技球の進入口となる
【０２７２】
　
一対の第２特図始動口扉２９２
第２特図始動口
２３２の両側に配置され
第２特図始動口
とほぼ同じ厚さを有
【０２７３】
　
第２特図始動口扉２９２
遊技球が進入し易い開状態
と、遊技球が進入し難いまたは進入不可能な閉状態
とに変化可能
【０２７４】
　一方、一対の
第２特図始動口扉２９２が
開状態であると
遊技球が第２始動口２３２に入賞できる
【０２７５】
　
第２特図始動口扉２９２の前方には、
透過性防止手段２９８が配置され
【０２７６】
　
擬似報知手段２９４は、第２特図始動口扉２９２の可変領域２９６の一部の前方向に重なる位置に配置され
遊技盤面をその法線方向に見て、
第２特図始動口扉２９２とほぼ同形状且つ同じ大きさに形成され
【０２７７】
　第２特図始動口扉２９２と同様に、擬似報知手段２９４の中央下部を軸部材２９１が貫通している。これにより、擬似報知手段２９４は、軸部材２９１を回転軸にして遊技盤面に対して回転自在に配置される。透過性防止手段２９８は、可変領域２９６の範囲内で擬似報知手段２９４が十分に回転動作できる大きさを有している。これにより、擬似報知手段２９４は可変領域２９６の範囲を回転できる。このため、擬似報知手段２９４は、第２特図始動口扉２９２の開状態および閉状態のうちの一方を含む可変態様となるように、第２特図始動口扉２９２とは
別個独立に動作できる
【０２７８】
　例えば、図２５（ａ）および図２５（ｃ）では、擬似報知手段２９４の状態は、
第２特図始動口扉２９２が閉状態であると遊技者に思わせる状態
擬似報知手段２９４の状態は、第２特図始動口扉２９２が開状態であると遊技者に思わせる状態
を含む可変態様になって
（１０）【図２５】
（１１）認定事項（ア）
　図２５（ａ）〜（ｄ）には、
第２特図始動口２３２の前方に配置された透過性防止手段２９８
（１２）認定事項（イ）
　上記【０２７６】には、「擬似報知手段２９４」が「第２特図始動口扉２９２とほぼ同形状且つ同じ大きさに形成され」る点が記載され、上記【０２６９】及び【０２７８】には、「第２特図始動口扉２９２の開状態と、擬似報知手段２９４の動作状態」のときに、「擬似報知手段２９４の状態は、第２特図始動口扉２９２が開状態であると遊技者に思わせる状態」である点が記載されている。
　また、図２５（ｄ）には、動作状態の擬似報知手段２９４が、開状態の第２特図始動口扉２９２と前後方向にほぼ重なっていることが図示されている。
　これらを総合すると、引用文献１には、第２特図始動口扉２９２の開状態と、擬似報知手段２９４の動作状態のときに、
開状態の第２特図始動口扉２９２と
前後方向にほぼ重な
（１３）認定事項（ウ）
　図２５（ｂ）には、
第２特図始動口扉２９２の閉状態と、擬似報知手段２９４の動作状態のときに、動作状態の擬似報知手段２９４により前方を覆われる、第２特図始動口扉２９２の可変領域２９６には、第２特図始動口扉２９２が存在しない領域があ
　したがって、上記引用文献１には次の発明（以下、「引用発明１」という。）が記載されていると認められる。
「ａ　遊技球を遊技領域に打ち出す発射装置１１０と（【００１１】、【００３１】）、
ｂ　前面枠扉１０６の後面と遊技盤２００の前面とで区画形成され、遊技球が転動可能な遊技領域１２４と（【００１０】、【００１８】、【００３１】）、
ｃ、ｈ　遊技領域１２４の下方に落下した遊技球（【００３１】）が進入し易い開状態と、遊技球が進入し難いまたは進入不可能な閉状態とに変化可能で、第２特図始動口２３２とほぼ同じ厚さを有する一対の第２特図始動口扉２９２が両側に配置された第２特図始動口２３２であって（【０２７２】〜【０２７３】）、上面側が開口した器形状に形成された遊技球の進入口を備えるとともに（【０２７１】）、入球した遊技球は、パチンコ機１００の裏側に誘導した後、遊技島側に排出される（【００２６】）、第２特図始動口２３２と、
ｄ　第２特図始動口２３２への入球を検出する第２始動口センサと（【００２６】、【００５９】）、
ｅ　第２始動口センサが検出したことに基いて抽選を行い、抽選結果に基いて、第２可変入賞口扉２５０を閉状態から開状態に変化させる、主制御部３００の全体を制御する基本回路３０２と（【００３８】、【００４０】、【００５９】）、
ｇ　第２特図始動口扉２９２及び第２特図始動口２３２の前方に配置された透過性防止手段２９８と（【０２７５】、認定事項（ア））、
ｉ　第２特図始動口扉２９２の可変領域２９６の一部の前方向に重なる位置に（【０２７０】）、遊技盤面をその法線方向に見て、第２特図始動口扉２９２とほぼ同形状且つ同じ大きさになるよう配置され、第２特図始動口扉２９２が閉状態であると遊技者に思わせる非動作状態と、開状態の第２特図始動口扉２９２と前後方向にほぼ重なり、第２特図始動口扉２９２が開状態であると遊技者に思わせる動作状態とに、第２特図始動口扉２９２とは別個独立に動作できる擬似報知手段２９４と（【０２６９】、【０２７６】〜【０２７８】、認定事項（イ））、
ｆ　を備えるパチンコ機１００（【０００８】）であって、
ｊ　第２特図始動口扉２９２の閉状態と、擬似報知手段２９４の非動作状態、第２特図始動口扉２９２の閉状態と、擬似報知手段２９４の動作状態、第２特図始動口扉２９２の開状態と、擬似報知手段２９４の非動作状態、第２特図始動口扉２９２の開状態と、擬似報知手段２９４の動作状態を含む可変態様になっており（【０２６９】、【０２７８】）、
ｋ　第２特図始動口扉２９２の閉状態と、擬似報知手段２９４の動作状態のときに、動作状態の擬似報知手段２９４により前方が覆われる、第２特図始動口扉２９２の可変領域２９６には、第２特図始動口扉２９２が存在しない領域（以下、「領域ａ」という。）があり（認定事項（ウ））、
ｌ’　第２特図始動口２３２の近傍には、遊技釘２３８を複数個、配設する（【００３０】）、
ｆ　パチンコ機１００。」
２　引用文献２について
　引用文献２には、「閉鎖状態にある場合には、入賞口６１に通じる開口を閉鎖し、開放状態に変化した場合には、入賞口６１に通じる開口を開放して遊技領域３１を流下する遊技球の入賞口６１への入賞を容易にする、遊技盤３における透明な一部の前側に設けられた開閉羽部材１１と（【０００６】、【００２５】〜【００２６】）、
　開閉羽部材１１よりも大きい形状で、かつ遊技盤３の裏面側を開閉羽部材１１の作動範囲よりも広い領域を作動し得、図３
【図３】
に示す第１位置と、図５
【図５】
に示す第２位置とに作動可能である装飾羽部材１３とを備え（【００３０】、【図３】、【図５】）、
　遊技盤３における装飾羽部材１３の前方部位が透明であるため、遊技者は遊技盤３の前側から装飾羽部材１３を視認可能であり（【００３１】）、
　開閉羽部材１１が閉鎖状態から開放状態に変化する可能性が大であるとき、開閉羽部材１１を閉鎖状態に停止させた状態で、装飾羽部材１３のみが作動し（【００３２】）、
　開閉羽部材１１が閉鎖状態から開放状態及びその逆への状態変化に同期して、装飾羽部材１３が第１位置から第２位置及びその逆へ作動し（【００３２】）、
　開閉羽部材１１を閉鎖状態に停止させた状態で、装飾羽部材１３のみが第２位置に作動したときに、装飾羽部材１３が位置する遊技領域３１及びその近傍に、遊技領域３１に打ち込まれた遊技球の流下方向を変化させる多数の遊技釘７が配置されている（【００２０】、【００３２】、【図５】）、
　パチンコ機（【００１４】）。」（以下、「引用文献２に記載の技術」という。）が記載されている。
第５　対比・判断
１　本願発明１について
（１）対比
　本願発明１と引用発明１とを対比すると、次のことがいえる（見出し（ａ）〜（ｌ’）は、本願発明１の特定事項Ａ〜Ｌに対応する。）。  
  
（ａ）引用発明１の構成ａにおける「遊技球を遊技領域に打ち出す発射装置１１０」は、本願発明１の構成Ａの「遊技球を発射させる発射手段」に相当する。
　してみると、引用発明１の構成ａは、本願発明１の構成Ａに相当する。
（ｂ）引用発明１の構成ｂにおける、「遊技盤２００の前面」及び「遊技球が転動可能な遊技領域１２４」は、それぞれ、本願発明１の構成Ｂの「遊技盤の前面側」及び「遊技球が案内される遊技領域」に相当する。
　してみると、引用発明１の構成ｂは、本願発明１の構成Ｂに相当する。
（ｃ）引用発明１の構成ｃ、ｈにおける、「一対の第２特図始動口扉２９２」が、「遊技球が進入し易い開状態」及び「遊技球が進入し難いまたは進入不可能な閉状態」「とに変化可能」であることは、当該変化によって、第２特図始動口２３２への遊技球の入球のし易さが変化することを意味するから、本願発明１の構成Ｃの「始動入賞手段」が「入球可能な開状態と、入球不可能又は入球困難な閉状態との間で状態変化可能に構成」されることに相当する。
　また、同構成ｃ、ｈにおける、「遊技球」が「遊技領域１２４の」「下方に落下」することは、同構成Ｃの「遊技球」が「遊技領域を移動する」ことに相当する。
　してみれば、引用発明１の構成ｃ、ｈの「遊技領域１２４の」「下方に落下し」た「遊技球が進入し易い開状態」「と、遊技球が進入し難いまたは進入不可能な閉状態」「とに変化可能」な「一対の第２特図始動口扉２９２」「が両側に配置された」「第２特図始動口２３２」は、本願発明１の構成Ｃの「前記遊技領域を移動する遊技球が入球可能な開状態と、入球不可能又は入球困難な閉状態との間で状態変化可能に構成された始動入賞手段」に相当するといえる。
　してみると、引用発明１の構成ｃ、ｈは、本願発明１の構成Ｃに相当する構成を備えるものである。
（ｄ）引用発明１の構成ｄにおける、「第２始動口センサ」は、本願発明１の構成Ｄの「始動入賞検知手段」に相当する。
　してみると、引用発明１の構成ｄは、本願発明１の構成Ｄに相当する。
（ｅ）引用発明１の構成ｅにおいて、「第２可変入賞口扉２５０を閉状態から開状態に変化」させることは、本願発明１の構成Ｅの「遊技者にとって有利な特別遊技状態」「を発生」させることに相当する。
　よって、引用発明１の構成ｅにおける、「第２特図始動口２３２に球が入球したことを第２始動口センサが検出したこと」「に基いて」「抽選を行い、」「抽選結果」「に基いて、」「第２可変入賞口扉２５０を閉状態から開状態に変化させる」「主制御部３００の全体を制御する基本回路３０２」は、本願発明１の構成Ｅの「前記始動入賞検知手段の検知に基いて、遊技者にとって有利な特別遊技状態を発生させるか否かの当否抽選を行うとともに、当該当否抽選の結果に基いて前記特別遊技状態を発生させる主制御手段」に相当する。
　してみると、引用発明１の構成ｅは、本願発明１の構成Ｅに相当する。
（ｆ）　引用発明１の構成ｆにおける「パチンコ機１００」は、本願発明１の構成Ｆの「遊技機」に相当する。
　してみると、引用発明１の構成ｆは、本願発明１の構成Ｆに相当する。
（ｇ）引用発明１の構成ｇにおいて、「透過性防止手段２９８」が「第２特図始動口扉２９２及び第２特図始動口２３２の前方に配置」されていることは、上記（ｃ）の説示内容をふまえると、本願発明１の構成Ｇの「始動入賞手段を含む範囲の前方を覆うようにして」「設けられている」といえる。
　また、上記（ｃ）の説示内容をふまえると、当該始動入賞手段は、遊技領域を移動する遊技球が入球し得る部材であるから、当該始動入賞手段の前方に配置された「透過性防止手段２９８」は、遊技領域を移動する遊技球の前方に配置されている、すなわち、「透過性防止手段２９８」は、遊技領域において、遊技盤との間に遊技球が通過可能な距離を隔てて設けられているといえる。
　したがって、引用発明１の構成ｇにおいて、「第２特図始動口扉２９２及び第２特図始動口２３２の前方に配置」される「透過性防止手段２９８」は、本願発明１の構成Ｇの「前記遊技領域において前記始動入賞手段を含む範囲の前方を覆うようにして前記遊技盤との間に遊技球が通過可能な距離を隔てて設けられた前被覆手段」に相当する。
　してみると、引用発明１の構成ｇは、本願発明１の構成Ｇに相当する。
（ｈ）引用発明１の構成ｃ、ｈにおいて、「進入口」及び「遊技球」を「パチンコ機１００の裏側に誘導」することは、それぞれ、本願発明１の構成Ｈの「入球口」及び「遊技球を前記遊技領域の外部に案内する」ことに相当する。
　また、上記（ｃ）で説示のとおり、同構成ｃ、ｈにおいて、「遊技球が進入し易い開状態」及び「遊技球が進入し難いまたは進入不可能な閉状態」「とに変化可能」な「一対の第２特図始動口扉２９２」は、本願発明１の構成Ｈの「前記遊技領域を移動する遊技球を前記入球口に案内する開位置と、前記遊技領域を移動する遊技球の前記入球口への入球を規制する閉位置との間を変位可能な羽根部材」に相当する。
　してみると、引用発明１の構成ｃ、ｈは、本願発明１の構成Ｈに相当する構成を備えるものである。
（ｉ）引用発明１の構成ｉにおいて、「擬似報知手段２９４」は、本願発明１の構成Ｉの「変化手段」に相当し、同構成ｉの「第２特図始動口扉２９２が開状態であると遊技者に思わせる動作状態」及び「第２特図始動口扉２９２が閉状態であると遊技者に思わせる非動作状態」に「動作」することは、同構成Ｉの「前記羽根部材が前記開位置にあるかのような視認態様となる第１状態と、前記羽根部材が前記閉位置にあるかのような視認態様となる第２状態とに状態変化可能」なことに相当する。
　また、同構成ｉにおいて、「第２特図始動口扉２９２が開状態であると遊技者に思わせる動作状態」にある「擬似報知手段２９４」が、「開状態の第２特図始動口扉２９２と」「前後方向にほぼ重な」っていることは、同構成Ｉの、「前記羽根部材が前記開位置にあるかのような視認態様となる第１状態」にある「変化手段」が、「前記開位置にある前記羽根部材と前後に重複する位置」にあることに相当する。
　してみると、引用発明１の構成ｉは、本願発明１の構成Ｉに相当する。
（ｊ）引用発明１の構成ｊにおいて、「第２特図始動口扉２９２の閉状態」及び「第２特図始動口扉２９２の開状態」は、それぞれ、本願発明１の構成Ｊの「前記羽根部材が前記閉位置にある場合」及び「前記羽根部材が前記開位置にある場合」に相当するから、同構成ｊにおいて、「第２特図始動口扉２９２の閉状態と、擬似報知手段２９４の非動作状態」及び「第２特図始動口扉２９２の閉状態と、擬似報知手段２９４の動作状態」を含む可変態様は、同構成Ｊの「前記羽根部材が前記閉位置にある場合には、前記変化手段が前記第１状態と前記第２状態とに状態変化可能に構成され」ることに相当し、同構成ｊにおいて、「第２特図始動口扉２９２の開状態と、擬似報知手段２９４の動作状態」にあることは、同構成Ｊの「前記羽根部材が前記開位置にある場合には、前記変化手段が前記第１状態に維持され」ることに相当する。
　してみると、引用発明１の構成ｊは、本願発明１の構成Ｊに相当する。
（ｋ）引用発明１の構成ｋにおける、「第２特図始動口扉２９２の閉状態と、擬似報知手段２９４の動作状態のとき」は、本願発明１の構成Ｋの「前記羽根部材が前記閉位置にあり、前記変化手段が前記第１状態にある場合」に相当する。
　また、引用発明１（構成ｉ）では、「動作状態」の「擬似報知手段２９４」は、「開状態の第２特図始動口扉２９２と前後方向にほぼ重な」っていることから、同構成ｋにおける、「動作状態の擬似報知手段２９４により前方が覆われる」「領域ａ」は、同構成Ｋの「前記開位置にある前記羽根部材が配置される領域であって、前記第１状態にある前記変化手段により前方が覆われる領域」に相当する。
　そして、上記構成ｃ、ｈより、第２特図始動口扉２９２は遊技領域１２４に設けられていることから、第２特図始動口扉２９２の可変領域２９６の「領域ａ」も、遊技球が移動可能な遊技領域１２４にあるといえる。
　よって、引用発明１の構成ｋにおける、「第２特図始動口扉２９２の閉状態と、擬似報知手段２９４の動作状態のときに、動作状態の擬似報知手段２９４により前方が覆われる、第２特図始動口扉２９２の可変領域２９６には、第２特図始動口扉２９２が存在しない領域ａがある」ことは、本願発明１の構成Ｋの「前記羽根部材が前記閉位置にあり、前記変化手段が前記第１状態にある場合には、前記遊技領域のうち、前記開位置にある前記羽根部材が配置される領域であって、前記第１状態にある前記変化手段により前方が覆われる領域を遊技球が移動可能に構成され」ていることに相当する、すなわち、引用発明１の構成ｋは、本願発明１の構成Ｋに相当する。
（ｌ’）引用発明１の構成ｌ’において、「遊技釘２３８」は、これに遊技球が接触すると、遊技球の進路が変更されることは明らかであるから、本願発明１の構成Ｌの「進路変更手段」に相当する。
　してみると、引用発明１の構成ｌ’は、本願発明１の構成Ｌと、「進路変更手段が設けられている」点で共通する。
　したがって、本願発明１と引用発明１との間には、次の一致点、相違点がある。
  
（一致点）
「Ａ　遊技球を発射させる発射手段と、
Ｂ　遊技盤の前面側に設けられ、前記発射手段により発射された遊技球が案内される遊技領域と、
Ｃ　前記遊技領域を移動する遊技球が入球可能な開状態と、入球不可能又は入球困難な閉状態との間で状態変化可能に構成された始動入賞手段と、
Ｄ　前記始動入賞手段へ入球した遊技球を検知する始動入賞検知手段と、
Ｅ　前記始動入賞検知手段の検知に基いて、遊技者にとって有利な特別遊技状態を発生させるか否かの当否抽選を行うとともに、当該当否抽選の結果に基いて前記特別遊技状態を発生させる主制御手段と
Ｆ　を備える遊技機であって、
Ｇ　前記遊技領域において前記始動入賞手段を含む範囲の前方を覆うようにして前記遊技盤との間に遊技球が通過可能な距離を隔てて設けられた前被覆手段を備え、
Ｈ　前記始動入賞手段は、前記遊技領域を移動する遊技球を前記遊技領域の外部に案内する入球口を備えるとともに、前記遊技領域を移動する遊技球を前記入球口に案内する開位置と、前記遊技領域を移動する遊技球の前記入球口への入球を規制する閉位置との間を変位可能な羽根部材を備える構成において、
Ｉ　前記開位置にある前記羽根部材と前後に重複する位置において、前記羽根部材が前記開位置にあるかのような視認態様となる第１状態と、前記羽根部材が前記閉位置にあるかのような視認態様となる第２状態とに状態変化可能な変化手段を備え、
Ｊ　前記羽根部材が前記閉位置にある場合には、前記変化手段が前記第１状態と前記第２状態とに状態変化可能に構成され、かつ、前記羽根部材が前記開位置にある場合には、前記変化手段が前記第１状態に維持され、
Ｋ　前記羽根部材が前記閉位置にあり、前記変化手段が前記第１状態にある場合には、前記遊技領域のうち、前記開位置にある前記羽根部材が配置される領域であって、前記第１状態にある前記変化手段により前方が覆われる領域を遊技球が移動可能に構成され、
Ｌ’　進路変更手段が設けられている、
Ｆ　遊技機。」
  
（相違点）
・相違点（特定事項Ｌ）
　本願発明１は、進路変更手段が、「前記羽根部材が前記閉位置にあり、前記変化手段が前記第１状態にある場合に前記第１状態にある前記変化手段により前方が覆われる領域を移動する遊技球に接触し、当該接触の後に当該遊技球が前記第１状態にある前記変化手段と、前記前被覆手段とにより前方が覆われる領域を移動可能とする」のに対し、引用発明１は、それに対応する構成を備えていない点。
（２）相違点についての判断
　上記相違点について検討する。
ア　引用文献２に記載の技術について
（ア）上記「第４　引用文献、引用発明等」「２　引用文献２について」の「引用文献２に記載の技術」における、「開閉羽部材１１」が「閉鎖状態」にあること及び「装飾羽部材１３」が「第２位置」にあることは、それぞれ、本願発明１の構成Ｌの「前記羽根部材が前記閉位置にあ」る場合及び「前記変化手段が前記第１状態にある場合」に相当する。
　また、同「遊技球の流下方向を変化させる多数の遊技釘７」は、同構成Ｌの「移動する遊技球に接触」する「進路変更手段」に相当する。
　よって、上記引用文献２に記載の技術と、本願発明１の構成Ｌは、「前記羽根部材が前記閉位置にあり、前記変化手段が前記第１状態にある場合に移動する遊技球に接触する進路変更手段が設けられている」点で共通する。
（イ）しかしながら、上記引用文献２に記載の技術における「装飾羽部材１３」は、遊技盤３の裏面側であって、遊技領域３１に設けられた遊技釘７の裏面側に設けられていることから、引用文献２に記載の技術における「遊技釘７」（進路変更手段）は、「装飾羽部材１３」（変化手段）により後方が覆われる領域を移動する遊技球に接触するものであって、本願発明１の構成Ｌの「前記第１状態にある前記変化手段により前方が覆われる領域を移動する遊技球に接触」するものではないから、上記引用文献２に記載の技術は、上記相違点に係る構成の、「前記第１状態にある前記変化手段により前方が覆われる領域を移動する遊技球に接触」する「進路変更手段」について示していない。
　よって、上記相違点に係る本願発明１の構成Ｌは、引用文献２に示されていない。
イ　相違点に係る本願発明１の構成の効果について
　そして、相違点に係る本願発明１の構成の効果について検討すると、本願発明１の構成Ｋを採用することの効果として、本願明細書の【０５３８】に記載される、「機能位置にある可動式被覆役物（疑似羽根部材４３１）で覆われる領域（特定被覆領域）に進入した遊技球と、特定被覆領域から外方の視認し易い場所に飛び出してきた遊技球との対応関係が分かり難くなり、遊技球が始動入賞装置（第２始動入賞装置３３ｂ）に入球したり、案内手段（羽根部材３７）に案内されたりしたのかもしれないし、していないのかもしれないといった状況をより多く作り出すことができる。これにより、特定被覆領域に進入した遊技球がどうなったのか等を教示・示唆する演出を行う場合において、かかる演出をより効果的なものとすることができる」効果が認められるところ、当該効果は、引用文献１にも引用文献２にも記載されておらず、引用発明１及び上記引用文献２に記載の技術から当業者にとって自明の効果であるともいえない。
　上記ア〜イより、引用文献２には、上記相違点に係る構成が開示されておらず、本願発明１は、引用文献１に記載された発明と、引用文献２に記載の技術に基いて当業者が容易に発明をすることができたものであるとはいえない。
２　本願発明２について
　本願発明１が、引用文献１に記載された発明と、引用文献２に記載の技術に基いて当業者が容易に発明をすることができたものであるといえないのであるから、本願発明１の発明特定事項をすべて含み、さらに他の発明特定事項を付加した本願発明２も同様に、引用文献１に記載された発明と、引用文献２に記載の技術に基いて当業者が容易に発明をすることができたものであるとはいえない。
第６　原査定について
１　理由（特許法第２９条第２項）について
　本願発明１及び本願発明２は、上記「第５　対比・判断」で示したとおり、当業者であっても、原査定において引用された引用文献１及び引用文献２に基いて、容易に発明できたものとはいえない。したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。